(57)【特許請求の範囲】
【請求項１】
複数枚のディスクを配列して収納するディスク収納部と、少なくともターンテーブルとピックアップと該ピックアップを再生するディスクの径方向に移動させるピックアップ移動手段とを含むディスク再生手段と、前記ディスク収納部に収納されたディスク間の再生位置と前記ディスク収納部近傍の待機位置との間で前記ディスク再生手段を移動させる移動手段と、外部から挿入されたディスクを前記ディスク収納部に搬送するディスク搬送手段とを有するディスク再生装置であって、
前記ディスク再生手段は、前記ピックアップの位置を検出する位置検出手段を含み、
前記位置検出手段は、前記ディスク再生手段が前記待機位置に位置するときは、前記ディスク搬送手段によって搬送されるディスクの位置検出を行うことを特徴とするディスク再生装置。
【請求項２】
前記位置検出手段は、検知位置と非検知位置とを搖動可能で非検知位置に向けて付勢された搖動部材と、該搖動部材によってＯＮ／ＯＦＦ作動されるスイッチ手段とを含み、前記搖動部材は、前記ピックアップによって押圧される第１押圧部と前記ディスクにより押圧される第２押圧部とを有することを特徴とする請求項１に記載のディスク再生装置。
【請求項３】
前記スイッチ手段は、前記ディスク再生手段を移動させる移動手段とディスク搬送手段とをそれぞれ駆動制御することを特徴とする請求項２に記載のディスク再生装置。
【請求項４】
前記位置検出手段は、前記ピックアップがディスクの最内周位置にあるか否かを検知するものであることを特徴とする請求項１または２に記載のディスク再生装置。
【請求項５】
前記位置検出手段は、ディスクが前記ディスク収納部のディスク収納位置にあるか否かを検知するものであることを特徴とする請求項１〜４にいずれか一つに記載のディスク再生装置。
【請求項６】
前記ピックアップは、前記ディスク再生手段が前記待機位置にあるときは、前記位置検出手段によって検出される位置以外の位置に停止されることを特徴とする請求項１〜５のいずれか一つに記載のディスク再生装置。
【請求項７】
前記ディスク再生手段は前記ディスク収納部のディスク配列方向と同一方向に移動可能であることを特徴とする請求項１〜６のいずれか一つに記載のディスク再生装置。
【請求項８】
前記ディスク収納部は、各々１枚のディスクを担持するとともに前記ディスク配列方向に移動可能な複数枚のトレイを含み、前記ディスク搬送手段によってディスクを搬送する場合は、前記ディスク再生手段は、搬送されるディスクを保持する前記トレイと同じ高さに位置づけられることを特徴とする請求項７に記載のディスク再生装置。
【発明の詳細な説明】
【０００１】
【発明の属する技術分野】
本発明は、ディスク再生装置に関し、更に詳しくは、ディスクを自動的に配列収納することのできるディスク再生装置の内部構造に関するものである。
【０００２】
【従来の技術】
一般に、コンパクトディスク（以下、ディスクという）は、直径１２ｃｍ、厚さ１．２ｍｍの光学式ディスクであって、ディスクの情報は内周側から外周側に向けて再生していく方式が採用されている。ディスクの記録面には大量の情報を記録することができ、しかも安価に製造、供給することができるので幅広く普及している。
そのようなディスクを再生するディスク再生装置のなかには、複数枚のディスクを収納し、そのなかのディスクの一枚を選択して再生することのできるようなディスク再生装置がある。一例をあげるとすると、複数枚のディスクを収納した脱着式マガジンをユーザーがディスク再生装置に挿着してからディスクを再生するようにしたディスク再生装置があるが、近年では、複数枚のディスクをディスク再生装置内部に自動的に配列収納して、そのなかのディスクの一枚を選択して再生することができるようなディスク再生装置がある。
そのようなディスク再生装置として、本件特許出願人が先に出願した特願平10-107266号には、図２５に示すように、多段の収納用トレイを備えたディスク再生装置が提案されている。
【０００３】
図２５のディスク再生装置Ａの前面には、挿入口Ａ１が水平方向に開口しており、ここからディスク再生装置Ａの内部にディスクＤを水平状態のまま挿抜可能としている。
そして、挿入口Ａ１の両端側にあたるディスク再生装置Ａ内部には、ディスクＤを搬送する搬送手段としての一対の駆動ローラＢが、ディスクＤの搬送方向と平行となるようにそれぞれ配設されている。各駆動ローラＢは、その軸心回りに正，逆回転可能とするもので、ディスクＤの搬送方向に同期回転すると共に、軸端Ｂ１を中心にディスクＤの搬送方向に対して半円弧運動をするようになっている。更に、駆動ローラＢの表面はテーパ状になっており、搬送されるディスクＤが自動的にセンタリングされるようになっている。
また、ディスク再生装置Ａ内部の前側には、図示しない機構により垂直方向に昇降可能なディスク収納部Ｃが配設されていて、ディスクＤを収納する収納用トレイＣ１が上下方向に接離可能な状態で多段に配設されている。
ディスク再生装置Ａ内部の後側には、図示しない機構により昇降可能なディスク再生部Ｅが設けられている。このディスク再生部Ｅは、ディスクＤを載置して回動するターンテーブルＦと、ディスクＤの情報記録面を再生するスライド自在なピックアップ部Ｇと、ディスクＤの径方向にピックアップ部Ｇをスライド移動させる移動手段Ｈと、ピックアップ部ＧがディスクＤの最内周位置で確実に停止するように最内周位置を検知する検知スイッチＩ及びホームスイッチHSWと、ディスク再生部Ｅに一端側Ｊ１が軸支され、他端側Ｊ２を接離可能としてディスクＤを上方位置から圧着してクランプするクランパＪとを有している。そして、ディスク再生部Ｅは、図示しない機構により支軸Ｋまわりに回動可能とされている。
【０００４】
ところで、検知スイッチＩは、回動軸Ｉａを中心に水平方向に適宜範囲内で回転自在となるようにディスク再生部Ｅに軸支されると共に、回動軸Ｉａに組み込まれた図示しないコイルバネにより図中時計回り方向に付勢されている。
そして、検知スイッチＩのピックアップ部Ｇ側に位置する端部には当接部Ｉｂが延設されている。この当接部Ｉｂにピックアップ部Ｇのターンテーブル側の端部が当接すると、コイルバネの付勢力に抗って回動軸Ｉａを中心に検知スイッチＩを図中反時計回り方向に回転させるようになっている。
さらに、検知スイッチＩのホームスイッチ側に位置する端部にはホームスイッチアームHSWAが延設されていて、検知スイッチＩが回動軸Ｉａを中心に回転し、このホームスイッチアームHSWAがホームスイッチHSWに対して接離することによってホームスイッチHSWをON-OFF作動させるようになっている。このホームスイッチHSWはON-OFF作動により移動手段Ｈの駆動を規制制御するスイッチであって、通常は0FF状態を示しており移動手段Ｈの移動を規制していない。
そして、ディスク再生装置Ａに搬入されたディスクＤの最初から、つまりディスクの最内周側から再生を開始するような場合、ピックアップ部ＧはディスクＤの最内周側にあたる位置に移動手段Ｈによりスライド移動する。その時、ピックアップＧの端部が検知スイッチＩの当接部Ｉｂに当接して検知スイッチＩが反時計回り方向に回動し、ホームスイッチHSWがON作動したならば、ピックアップ部ＧがターンテーブルＦに対してディスクＤの最内周側より更に内周側に移動中であると判断して直ちに移動手段Ｈの駆動を停止させ、ピックアップ部ＧがターンテーブルＦに当接しないようにする。そして、ピックアップ部Ｇを逆方向にスライド移動させてホームスイッチHSWが0FF状態となる位置までピックアップ部Ｇを退行させて待機させる。
【０００５】
上記構成のディスク再生装置Ａでは、所望の収納位置にディスクＤを収納する場合、まず、所望のトレイＣ１を上昇させ、駆動ローラＢと同じ高さに位置付けた上で、ディスクＤの搬入作動が行われる。ディスクＤを挿入口Ａ１から挿入すると、駆動ローラＢが同期回転してディスクＤを内部に搬入し、収納位置にあるトレイＣ１上に収納する。そして、ディスクＤを再生する場合は、ディスク再生部Ｅが支軸Ｋを回動軸として図中時計回り方向に回動し、ディスクＤの下面側にターンテーブルＦを、上面側にはクランパＪを対向配置させる。そして、図示しない機構によりクランパＪをディスクＤに対して圧着させてディスクＤをクランプする。それから、待機状態のピックアップ部ＧがディスクＤの最内周側から最外周側に向かって移動手段Ｈによりスライド移動して、ディスクＤの再生が開始されるようになっている。
【０００６】
【発明が解決しようとする課題】
ところで、上記したような、ディスクＤを内部に搬送する機構を有するディスク再生装置Ａの場合、搬送されたディスクＤが収納位置にあるトレイＣ１に確実に収納されたか否かを検知する検知手段、例えば、検知アームやフォトセンサをディスク収納部Ｃおよびディスク再生部Ｅなどの適宜位置に配設すると、ディスク搬送動作が確実となる。
しかし、このような検知手段をディスク再生装置Ａ内部に多数配設することは、ディスク再生装置Ａの内部機構が複雑になると共に、作業工程の増加および部品点数の増加となり、製品のコスト高を招いてしまう虞がある。
【０００７】
本発明はこのような従来の問題点に鑑みてなされたものであり、機構が簡素化され、しかも信頼性の高い検知手段を設けたディスク再生装置を提供するものである。
【０００８】
【課題を解決するための手段】
請求項１に記載の発明は、複数枚のディスクを配列して収納するディスク収納部と、少なくともターンテーブルとピックアップと該ピックアップを再生するディスクの径方向に移動させるピックアップ移動手段とを含むディスク再生手段と、前記ディスク収納部に収納されたディスク間の再生位置と前記ディスク収納部近傍の待機位置との間で前記ディスク再生手段を移動させる移動手段と、外部から挿入されたディスクを前記ディスク収納部に搬送するディスク搬送手段とを有するディスク再生装置であって、前記ディスク再生手段は、前記ピックアップの位置を検出する位置検出手段を含み、前記位置検出手段は、前記ディスク再生手段が前記待機位置に位置するときは、前記ディスク搬送手段によって搬送されるディスクの位置検出を行うことを特徴としている。
【０００９】
請求項２に記載の発明は、請求項１に記載の発明において、前記位置検出手段は、検知位置と非検知位置とを搖動可能で非検知位置に向けて付勢された搖動部材と、該搖動部材によってＯＮ／ＯＦＦ作動されるスイッチ手段とを含み、前記搖動部材は、前記ピックアップによって押圧される第１押圧部と前記ディスクにより押圧される第２押圧部とを有することを特徴としている。
【００１０】
請求項３に記載の発明は、請求項２に記載の発明において、前記スイッチ手段は、前記ディスク再生手段を移動させる移動手段とディスク搬送手段とをそれぞれ駆動制御することを特徴としている。
【００１１】
請求項４に記載の発明は、請求項１または２に記載の発明において、前記位置検出手段は、前記ピックアップがディスクの最内周位置にあるか否かを検知するものであることを特徴としている。
【００１２】
請求項５に記載の発明は、請求項１〜４のいずれか一つに記載の発明において、前記位置検出手段は、ディスクが前記ディスク収納部のディスク収納位置にあるか否かを検知するものであることを特徴としている。
【００１３】
請求項６に記載の発明は、請求項１〜５のいずれか一つに記載の発明において、前記ピックアップは、前記ディスク再生手段が前記待機位置にあるときは、前記位置検出手段によって検出される位置以外の位置に停止されることを特徴としている。
【００１４】
請求項７に記載の発明は、請求項１〜６のいずれか一つに記載の発明において、前記ディスク再生手段は前記ディスク収納部のディスク配列方向と同一方向に移動可能であることを特徴としている。
【００１５】
請求項８に記載の発明は、請求項７に記載の発明において、前記ディスク収納部は、各々１枚のディスクを担持するとともに前記ディスク配列方向に移動可能な複数枚のトレイを含み、前記ディスク搬送手段によってディスクを搬送する場合は、前記ディスク再生手段は、搬送されるディスクを保持する前記トレイと同じ高さに位置づけられることを特徴としている。
【００１６】
【発明の実施の形態】
以下、本発明を適用したディスク再生装置の実施の形態について図面を用いて説明する。
図１は本発明が適用されるディスク再生装置の全体斜視図であり、図２はディスク再生装置の要部構成を示した説明図である。
これら図１〜図２を用いてディスク再生装置の概略を説明すると、図１に示すように、ディスク再生装置のシャーシ１の前面には、挿入口１１が水平方向に開口しており、ここからディスク再生装置の内部にディスクが水平状態のまま挿抜される。
【００１７】
挿入口１１の両端側にあたるディスク再生装置内部には、ディスクを搬送する搬送手段としての一対の駆動ローラ１０１が、ディスクの搬送方向と平行となるようにそれぞれ配設されている（図２参照）。各駆動ローラ１０１は、その軸心回りに正，逆回転可能とするもので、ディスクの搬送方向に同期回転すると共に、軸端の支軸１０４（図３，図４に図示）を中心にディスクの搬送方向に対して半円弧運動をするようになっている。更に、駆動ローラ１０１の表面はディスクの搬送センタ方向へ徐々に傾斜するテーパ状になっており、ディスクが搬送されるにつれて徐々にセンタリングされるようになっている。
【００１８】
そして、ディスク再生装置内部の前側には、ディスク収納部３００が配設されていて、ディスクを収納するトレイ３０１が上下方向（Ｚ方向）に接離可能な状態で多段に配設されている。
ディスク再生装置内部の後側には、メインシャーシ１の左右外側に配置されて前後方向（Ｘ方向）に移動するスライド部材５，６の駆動力を受けて昇降する可動シャーシ４００上に設けられ、可動ピン３の移動により支軸４０１まわりに回動可能なディスク再生部２００が設けられている。このディスク再生部２００は、図２に示すように、ディスクを芯だし載置して回動するターンテーブル２０１と、ディスクの情報記録面を再生するピックアップ２０３と、ディスクの径方向にピックアップ２０３をスライド移動させるピックアップ移動機構２０４と、ピックアップ２０３がディスクの最内周位置で確実に停止するように最内周位置を検知し、且つディスクの周端面と当接してディスクが所定位置にローディングされたことを検知するスイッチング部材１２及び検索スイッチ１３と、ディスク再生部２００に一端側が軸支され、他端側を接離可能としてディスクを上方位置から圧着してクランプするクランパ２０２とを有している。
【００１９】
ディスク再生装置のシャーシ１の適宜位置には、それぞれディスクの移動状態を検知するフォトセンサ１４ａ〜１４ｃが配設される。フォトセンサ１４ａは、開口部１１近傍位置で、且つディスクローディング終了時のディスク下面位置から外れている位置に配置されると共に、フォトセンサ１４ｂはディスク収納部３００下面位置から外れている位置で、且つディスクローディング終了時のディスク下面位置にあたる位置に配置されている。また、一方の駆動ローラ１０１の近傍にはフォトセンサスイッチ１４ｃが配置されて、このフォトセンサスイッチ１４ｃとフォトセンサ１４ａとにより１２ｃｍディスクか、或いは他の直径を有するディスク（例えば、８ｃｍディスク）を判別するような位置関係になっている。
【００２０】
また、図中、符号２０７は、可動ピン３の変位移動によりクランパベース２０５を移動させてクランパ２０２を圧着移動させるクランプ作動部材を示しており、このクランプ作動部材２０７はコイルバネ２０８を介してクランパ２０２の本体であるクランパベース２０５の一部に連接している。
【００２１】
図３は図１のディスク再生装置からディスク収納部３００等の一部構成部材を省略した部分斜視図である。
図３に示したディスク再生装置の構成の概略を説明すると、メインシャーシ１内には、一対の駆動ローラ１０１などを供えるディスク搬送機構１００と、ディスク再生部２００と、ディスク収納部３００と、トレイ３０１を移動させるトレイ移動機構がそれぞれ配置されている。
【００２２】
図４に示すように、ディスク搬送機構１００は、ユーザによってフロントパネルの挿入口１１から挿入されたディスクをディスク収納部３００まで搬送するものであり、またディスク収納部３００にあるディスクを装置外部へ排出するものである。
挿入口１１を通じてディスク搬送通路１０２に挿入されたディスクには、その下面からＹ方向に並列して配置されている一対の駆動ローラ１０１に当接し、この駆動ローラ１０１の同期回動によってディスクはＸ方向に搬送される。
また、各駆動ローラ１０１はそれぞれ一対の支持シャーシ１０３により回動自在に支持されていて、支持シャーシ１０３は後述する駆動ローラ移動機構によって図中Ｚ方向に沿った支軸１０４を中心に回動可能となっている。
【００２３】
図５に示すように、駆動ローラ１０１の一端側には、駆動ローラ１０１と同軸となるようなギア部１０１ａが一体形成されている。その駆動ローラ１０１の下方位置には、両端が上方に突出している一対の立板部１０３ａを有する支持シャーシ１０３が配置され、それら立板部１０３ａに駆動ローラ１０１の両端が回転自在に支持されている。
【００２４】
図４（ａ）に示すように、駆動ローラ１０１の一端側には、駆動ローラ１０１と同軸となるようなギア部１０１ａが一体形成されている。その駆動ローラ１０１の下方位置には、両端が上方に突出している一対の立板部１０３ａを有する支持シャーシ１０３が配置され、それら立板部１０３ａに駆動ローラ１０１の両端が回転自在に支持されている。
ディスク通路規制部材１０６は駆動ローラ１０１の上方に配置されていて、支持シャーシ１０３の立板部１０３ａに対して支点１０３ｂを中心に回動自在に支持されている。ディスク通路規制部材１０６と駆動ローラ１０１の間の空間がディスク搬送通路１０２になる。またディスク通路規制部材１０６と支持シャーシ１０３の間にはコイルスプリング１０７が装架されており、ディスク通路規制部材１０６は駆動ローラ１０１に近づく方向に付勢されている。
【００２５】
メインシャーシ１上のＹ方向両側には、Ｚ方向に沿った軸１０４を中心に回動可能な回動部材１０５が一対設けられていて、両端をメインシャーシ１と支持シャーシ１０３の突出板１０３ｃとに回動可能に支持されている。回動部材１０５は支持シャーシ１０３に形成された孔（図示せず）を挿通している。回動部材１０５の上端側にはギア部１０５ｃが形成されており、駆動ローラ１０１と同軸のギア部１０１ａに噛んでいる。また、回動部材１０５の一方の中間部には、駆動伝達プーリー１０５ａが設けられていて、モータ１０８（図８に図示）の駆動力がベルト１０９（図８に図示）によって伝達されるとともに、各回動部材１０５の下端部１０５ｂには同期プーリが設けられていて、一対の回動部材１０５は図示しないベルトにより同期駆動するようになっている。以上の構成により、１個のモータの駆動力が２個の駆動ローラ１０１に伝達されるようになっている。
【００２６】
図４（ｂ）に示したのは、回動部材１０５の内部構造の一実施例であり、メインシャーシ１に立設している支軸１０４の外周面と回動部材１０５の内周面とはそれぞれが摺接可能な形状となっており、筒内の極僅かな隙間には潤滑油としてのグリースが封入されていて、内部摩擦抵抗を低下させている。しかしこの構成では、支軸１０４と回動部材１０５との摺接面積が多大なため、より摺接面積を削減した内部構成とすることが望ましい。そこで、図４（ｃ）に示すように、支軸１０４の上下一部に回動部材１０５の内周面に摺接する摺接部１０４ａを設けると共に、摺接部１０４ａよりも縮径した中間部１０４ｂを摺接部１０４ａ間に設けるようにして、筒内の隙間にはグリースを封入した構成とするとよい。この構成によって回動部材１０５内部の摩擦抵抗を更に減少させることができるようになる。
【００２７】
また、支持シャーシ１０３には、下方に突出する突出片１０３ｃが設けられている。また、メインシャーシ１上には、図４においてＸ方向に可動な可動部材１１０が設けられていて、突出片１０３ｃに係合している。この構成により、可動部材１１０がＸ方向に動作すると、支持シャーシ１０３は回動部材１０５の軸１０４を中心に回動し、駆動ローラ１０１が軸１０４を中心に回動するようになっている。このとき、駆動ローラ１０１のギア部１０１ａと回動部材１０５のギア部１０５ｃは垂直に噛んでいるので、その噛み合いが外れることはない。この構成により、駆動ローラ１０１は挿入口１１の端部に位置する軸１０４を中心として回動可能である。
【００２８】
図６〜図９に示すように、駆動ローラ１０１によって搬送されたディスクが収納配置されるディスク収納部３００は、同一形状で複数（この実施例では６枚）のトレイ３０１をＺ方向に配列してなるものである。メインシャーシ１上に設けられた上方に突出する２本のガイドシャフト２によって各トレイ３０１に形成された２個の挿通孔３０１ｄをそれぞれ挿通することによって、トレイ３０１は移動方向がＺ方向に規制される。
【００２９】
図６はトレイ３０１を示す平面図である。同図に示すように、トレイ３０１は全体が略Ｖ字形状であり、ディスク担持面３０１ａには欠落部３０１ｂ、３０１ｃが形成されている。欠落部３０１ｂはディスク担持面３０１ａに担持されるディスクの中心を含む領域まで亘っていて、この領域にディスク再生部２００のターンテーブル２０１、クランパ２０２及びピックアップ２０３の侵入を許容している。これによりディスクはディスク担持面３０１ａから若干離された位置で再生が可能とされる。
【００３０】
欠落部３０１ｃはトレイ３０１の前面側の左右に設けられた一対の切欠きであって、この領域に一対の駆動ローラ１０１の侵入が許容されている。詳しくは後述するように、欠落部３０１ｃに侵入した駆動ローラ１０１はディスク担持面３０１ａに担持されたディスクの占める領域に干渉する。
【００３１】
符号３０１ｄはガイドシャフト２が挿通する孔である。また、符号３０１ｅはディスク押え部材であり、図示しない弾性部材により一方向に付勢するようになっている。このディスク押え部材３０１ｅはディスク担持面３０１ａに担持されたディスクの周縁を押圧して、ディスクのがたつきを防いでいる。
【００３２】
符号３０１ｆはトレイ３０１の左右側面から各２個突出し、合計４個設けられた突起である。詳しくは後述するが、これら４個の突起３０１ｆには、トレイ移動機構を構成する４個の楔部材４１０の駆動が伝達され、トレイ３０１が配列方向に移動されるようになっている。なお、６枚のトレイの構成はすべて同一である。
また、ディスク再生装置のメインシャーシ１には、トレイ３０１の端部を押圧するため進退移動可能としたトレイ押え部材３０４が配設されている。このトレイ押え部材３０４には、２つの案内溝３０４ａ，３０４ｂと当接部３０４ｃとが設けられている。そして、案内溝３０４ａ，３０４ｂには、メインシャーシ１から上方に突出した図示しないピンが係合すると共に、ディスクの挿抜移動に伴って、図示しない駆動部材によりトレイ３０１の端部に対して進退移動するようになっている。また、当接部３０４ｃはトレイ押え部材３０４の一端部に設けられて、後述するトレイ搬送位置高さを有している立板状の部材（図２４（ａ）参照）であって、トレイ３０１の端部に対して接離可能となっている。
【００３３】
図７は、ユニット化されたディスク収納部３００全体を一側面から示したものである。
同図に示すように、６枚のトレイ３０１に穿孔されている挿通孔３０１ｄにガイドシャフト２が挿通することでＺ方向に配列している。また、トレイ３０１の上部には、可動シャーシとしての規制板３０２Ａが設けられ、更に下部には、支持シャーシであるメインシャーシ１に固定される規制板３０２Ｂが配設され、これらの上側と下側との規制板３０２Ａ，３０２Ｂとにより６枚のトレイ３０１を挟持して配列するようになっている。更に、それぞれの規制板３０２Ａ，３０２Ｂには、挿通孔が形成されていてガイドシャフト２を挿通するようになっている。更に、規制板３０２Ｂはメインシャーシ１に固定されると共に、付勢手段としてのコイルバネ３０３を規制板３０２Ａと規制板３０２Ｂとの対向面の複数箇所に介在させることにより、規制板３０２Ａを規制板３０２Ｂに近接させる方向、つまり図中矢印の示す方向に付勢させている。また規制板３０２Ａには、トレイ３０１の側面に接する垂下部３０２ａが形成されており、トレイ３０１がＸ方向及びＹ方向にがたつかない様に押えている。
なお、規制板３０２Ａとともに規制板３０２Ｂを設けたことで、ディスク収納部３００の組み立てが容易となる。すなわち、ディスク収納部３００をメインシャーシに組み込む作業は、６枚のトレイ３０１を規制板３０２Ａ，３０２Ｂで挟み込むと共に、コイルバネ３０３を装架して一体化した状態で、これらをガイドシャフト２にまとめて挿通し、その後規制板３０２Ｂをメインシャーシ１に固定するだけで良いので、ガイドシャフト２にトレイ３０１を一枚ずつ挿通するという面倒な作業をせずに組み立てが行える。
【００３４】
上記したように駆動ローラ移動機構とトレイ３０１の欠落部３０１ｃとにより、一対の駆動ローラ１０１はディスクの搬送を行うディスク搬送位置とディスクを搬送しないときに位置する退避位置との間を移動可能となっている。
図８は、駆動ローラ１０１がディスク搬送位置に位置する状態を示し、図９は、駆動ローラ１０１が退避位置に位置する状態を示している。
【００３５】
駆動ローラ１０１がディスク搬送位置にあるときは、図８に示されるようにトレイ３０１の欠落部３０１ｃに侵入している。このとき駆動ローラ１０１はＹ方向に向いていて、挿入口１１に対して平行であるので、駆動ローラ１０１の駆動力がディスクの搬送方向（Ｘ方向）に向くようになっている。またこのとき、駆動ローラ１０１はトレイ３０１のディスク担持面３０１ａに担持されたディスクの占める領域内にあり、Ｚ方向においてこのディスクを干渉するように位置している。また、上記状態では、トレイ押え部材３０４はトレイ３０１の端部に当接している。
【００３６】
駆動ローラ１０１が退避位置にあるときは、図９に示されるようにトレイ３０１の欠落部３０１ｃから外れたところに位置している。このとき駆動ローラ１０１は、ディスクの挿入口１１に対して非平行状態となっていて、トレイ３０１のディスク担持面３０１ａに担持されたディスクの占める領域外に位置している。ディスクの再生はこの状態において行われ、駆動ローラ１０１がディスク再生動作を妨げないようになっている。そして、上記状態においても、トレイ押え部材３０４は駆動部材により案内溝３０４ａ，３０４ｂに沿ってスライド移動してトレイ３０１の端部に当接しており、トレイ３０１にがたつきが発生しないようになっている。
【００３７】
図１０に示すように、可動シャーシ４００は、ディスク再生部２００を支持する平板部４００ａと、平板部４００ａの左右に設けられる一対の立板部４００ｂとからなる。立板部４００ｂの内側面には各々２個、合計４個の楔部材４１０が回動可能に設けられており、４個の楔部材４１０は図示しない駆動機構により同期して回動されるようになっている。これら４個の楔部材４１０と駆動機構とによってトレイ保持機構が構成される。
【００３８】
図１１及び図１２は可動シャーシ移動機構を示すものであり、図１１はメインシャーシ１を示す平面図である。メインシャーシ１の底部の裏面には回動アーム４が支点４ａを中心に回動自在に取り付けられている。この回動アーム４は図示しないモータの駆動力を受けて回動駆動される。メインシャーシ１の左右両端には、図１０にも示すように、Ｚ方向に沿った２枚の立上板１ａが合計４枚設けられており、スライド部材５、６が立上板１ａに沿ってＸ方向に移動可能に取り付けられている。スライド部材５、６はそれぞれその下端部からＹ方向に突出する突出片５ａ、６ａを有しており、突出片５ａ、６ａはそれぞれ回動アーム４の両端部に枢動可能に連結されている。これにより、回動アーム４が図示しないモータの駆動力によって回動すると、スライド部材５、６はＸ方向に沿って各々反対向きに移動する。
【００３９】
図１２はメインシャーシ１の立上板１ａに取り付けられたスライド部材６を示す側面図である。スライド部材６にはＸ方向に沿った直線状の孔６ｂが２本形成されていて、孔６ｂにはメインシャーシ１の各立上板１ａに形成されたピン１ｃが嵌まっている。これによりスライド部材６の移動方向はＸ方向に規制される。各立上板１ａにはＺ方向に沿ったガイド孔１ｂが形成されており、可動シャーシ４００の一対の立板部４００ｂに形成されたピン４００ｃ（各立板部４００ｂにたいして２個、合計４個形成される）が、このガイド孔１ｂに嵌まり込んでいる。これにより、可動シャーシ４００はＺ方向に移動方向が規制される。さらに、ピン４００ｃは、スライド部材６に２個形成された階段状の傾斜孔６ｃにもそれぞれ嵌まり込んでいる。スライド部材６がＸ方向に移動すると、これに応じてピン４００ｃはＺ方向に駆動される。スライド部材５には傾斜孔６ｃと反対方向に傾斜した傾斜孔５ｃ（図１０参照）が２個形成されているので、４個のピン４００ｃは同方向に駆動され、可動シャーシ４００が昇降する。
【００４０】
傾斜孔５ｃ，６ｃは６段の階段形状とされているが、これは、６枚のトレイの各高さ位置に対応して可動シャーシ４００を位置付けるための構成である。
【００４１】
図１３は、可動シャーシ４００の立板部４００ｂに回動可能に取り付けられた４個の楔部材４１０の１つを示したものである。４１０ａは立板部４００ｂに取り付けられる回動支点である。４１０ｂは立板部４００ｂに形成された円弧溝４００ｄに嵌まり込む突起４１０ｂであり、円弧溝４００ｄによって楔部材４１０の回動範囲が規制される。４１０ｃはトレイ３０１の突起３０１ｆが入り込む略くの字状の溝孔である。４１０ｄ、４１０ｅ、４１０ｆ、４１０ｇはトレイ３０１の突起３０１ｆに当接するカム面である。なお、先述したように、４個の楔部材４１０は図示しない連動機構により同期して回動される。
【００４２】
次ぎに、ディスク再生部２００について説明する。
まず、図１４〜図１６はディスク再生部２００及びディスク再生部移動機構の詳細を示すものであり、図１４はディスク再生部２００が退避位置にある状態を示す平面図であり、図１５はディスク再生部２００を側面から示す図であり、図１６はディスク再生部２００が再生位置にある状態を示す平面図である。
なお、図１４（ａ）はディスク再生部２００がクランパ２０２を保持するクランパベース２０５を除いた状態で示されており、クランパベース２０５は図１４（ｂ）に示されている。
【００４３】
まず、ディスク再生部２００は可動シャーシ４００上に設けられていると共に、可動シャーシ４００は上記した可動ベース移動機構によって図のＺ方向に移動可能とされている。これによりディスク再生部２００はＺ方向に移動可能である。また、ディスク再生部２００は可動シャーシ４００上に立設された支軸４０１を中心に回動可能であり、後述するディスク再生部移動機構により、再生位置と退避位置との間を移動可能とされている。
【００４４】
そして、ディスク再生部２００のベース２００ａ上にはターンテーブル２０１、ピックアップ２０３、ピックアップ移動機構２０４が設けられている。ベース２００ａは可動シャーシ４００上において支軸４０１を中心に回動自在に保持されている。クランパベース２０５はベース２００ａに対して２００ｂを支軸として回動可能に取り付けられており、先端側においてクランパ２０２を保持している。また、図１４（ｂ）に示すように、図１４の紙面裏側に向けて突出する絞り部２０５ａが形成されている。支軸２００ｂにはコイルバネ２０６が装架されており、この付勢力によってクランパベース２０５はベース２００ａに近づく方向に付勢されている。このコイルバネ２０６によってディスクをクランプするクランプ力が得られる。
【００４５】
更に、ベース２００ａ上にはクランプ作動部材２０７が設けられている。クランプ作動部材２０７には互いに直交する長孔２０７ａ及び長孔２０７ｂとローラ２０７ｃとが形成されている。長孔２０７ａにはベース２００ａ上に突出した突出ピン２００ｃが嵌まっていて、これによりクランプ作動部材２０７はベース２００ａに対して支軸２００ｂの軸方向に移動可能とされている。
更にまた、このクランプ作動部材２０７はコイルバネ２０８を介してクランパ２０２の本体であるクランパベース２０５の一部に連接している（図２参照）。そして、このコイルバネ２０８は、クランパベース２０５の絞り部２０５ａがクランプ作動部材２０７のローラ２０７ｃに乗り上るクランプ解除動作を補助するものであり、コイルバネ２０６に抗して作用するものである。
【００４６】
更に、ディスク再生部２００のベース２００ａには、スイッチング部材１２とこれにより作動される検知スイッチ１３とが配設されている。スイッチング部材１２は、回動軸１２ａを中心に水平方向に適宜範囲内で回転自在となるようにベース２００ａに軸支されると共に、回動軸１２ａに組み込まれた図示しないコイルバネにより図中時計回り方向に付勢されている。そして、スイッチング部材１２のピックアップ２０３側に位置する端部には当接部１２ｂが延設されている。この当接部１２ｂにピックアップ２０３のターンテーブル２０１側の端部が当接すると、コイルバネの付勢力に抗って回動軸１２ａを中心にスイッチング部材１２を図中反時計回り方向に回転させて検索スイッチ１３を0N作動させる。
これにより、ピックアップ２０３がディスクの最内周に対応するターンテーブル２０１に近接した位置に到達したことが検知される。
さらに、スイッチング部材１２の検知スイッチ側に位置する端部には、スイッチアーム１２Ａが延設されていて、その端面には、ディスク周端面と当接可能とする当接部１２ｃが設けられている。そして、駆動ローラ１０１によって搬入されたディスクの外周縁と当接部１２ｃとが当接すると、上記と同様にコイルバネの付勢力に抗って回動軸１２ａを中心にスイッチング部材１２を図中反時計回り方向に回転させて、検索スイッチ１３を0N作動させて駆動ローラ１０１の駆動を停止するようになっている。
【００４７】
また、可動シャーシ４００には円弧溝４０２が形成されており、円弧溝４０２には可動ピン３が嵌まり込んでいる。可動ピン３はクランプ作動部材２０７の長孔２０７ｂにも嵌まり込んでいる。可動ピン３は図示しない駆動機構により円弧溝４０２内を駆動される。
【００４８】
可動ピン３が円弧溝４０２内を駆動することによって、ディスク再生部２００の再生位置と退避位置の間の移動と、ディスククランプ動作とが行われる。まず図１４（ａ）に示したように、ディスク再生部２００が退避位置に位置しているが、このとき、クランパベース２０５の絞り部２０５ａはクランプ作動部材２０７のローラ２０７ｃに乗り上げていて、クランパ２０２はターンテーブル２０１から離された状態、すなわちクランプ解除状態となっている。
【００４９】
図示しない駆動機構により、可動ピン３が円弧溝４０２に沿って矢印方向に駆動されると、作動部材２０７は長孔２０７ａの長軸方向に移動規制されているのでベース２００ａに対して変位せず、作動部材２０７とベース２００ａは一体となって支軸４０１の回りを回動する。これによりディスク再生部２００は、図１６に二点鎖線で示す再生位置に向けて移動される。
【００５０】
可動ピン３が円弧溝４０２の端部に到着する僅か直前、すなわち、ディスク再生部２００が再生位置に到着する僅か直前において、可動ピン３の駆動方向は、作動部材２０７の長孔２０７ａの長軸方向と平行となる。これによって、作動部材２０７はベース２００ａに対して長孔２０７ａの長軸方向に変位するので、クランパベース２０５の絞り部２０５ａはローラ２０７ｃ上の乗り上がりから外れる。その結果、クランパ２０２はコイルバネ２０６の付勢力によってターンテーブル２０１に押し付けられ、クランプ動作が行われる。
また、このとき作動部材２０７の変位によりコイルバネ２０８が伸長するので、コイルバネ２０８は縮小方向に付勢力を発揮するが、この付勢力によりベース２００ａは再生位置に向かう方向に押し付けられる。これにより、ベース２００ａの再生位置におけるガタ付きが抑えられ、ディスク再生部２００は、再生位置に精度良く位置付けられる。
【００５１】
以上のように、ディスクのクランプ動作は、ディスク再生部２００の退避位置から再生位置への移動に連動して行われ、ディスク再生部２００が再生位置に位置付けられると同時にクランプ動作も行われる。ディスクの再生が終り、ディスク再生部２００が再生位置から退避位置へ移動するとディスクのクランプも解除される。
【００５２】
次に本発明を適用したディスク再生装置の動作について、図１７乃至図２３によって説明する。図１７乃至図２３は、スライド部材６（スライド部材５）と楔部材４１０の動作に対応したトレイ３０１の位置を示すものである。
【００５３】
図１７乃至図２３は挿入口１１から挿入したディスクをディスク収納部３００のトレイ３０１に担持させる動作を示したものである。以下、最下方から２番目のトレイ３０１に対して挿入口１１から挿入したディスクを収納する場合を例として説明する。
【００５４】
ディスクの最内周側から再生を開始するような場合、ディスク再生部２００のピックアップ２０３は、ピックアップ移動機構２０４によりディスクの最内周側にあたる位置、つまりターンテーブル２０１側に移動する。
すると、ピックアップ２０３の端部がスイッチング部材１２の当接部１２ｂに当接する。そしてスイッチング部材１２が反時計回り方向に回動し、検索スイッチ１３がON作動する。そのことにより、ピックアップ２０３がターンテーブル２０１に対してディスクの最内周側より更に内周側に移動中であると判断して直ちにピックアップ移動機構２０４の駆動を停止させ、ピックアップ２０３がターンテーブル２０１に当接しないようにする。そして、ピックアップ２０３を逆方向にスライド移動させて検索スイッチ１３が0FF状態となる位置までピックアップ２０３を退行させて待機させ、不要な負荷をディスク及び駆動ローラ１０１等に掛けないようにする。
【００５５】
図１７は動作の待機状態を示している。このとき、６枚のトレイ３０１は積み重なる状態となっている。ピン４００ｃは傾斜孔６ｃの最下段に位置していて、可動シャーシ４００は最下方に位置付けられている。楔部材４１０はトレイ３０１から離れた位置に退避しており、可動シャーシ４００の昇降動作の時に楔部材４１０とトレイ３０１とが衝突しないようになっている。
【００５６】
次に、図１８に示すように、スライド部材６（スライド部材５）が駆動されて可動シャーシ４００を上昇させる。ピン４００ｃが傾斜孔６ｃの最下段から２段目に位置付けされたところで、可動シャーシ４００は停止する。この高さにおいて、楔部材４１０は下方から２番目のトレイ３０１を保持することができる。
既述したように、傾斜孔６ｃの６段の階段は、図１７に示した待機状態にあるときのトレイ３０１の６枚のトレイの高さ位置に対応しているので、例えば、楔部材４１０によって下方から４番目のトレイ３０１を保持させるときは、傾斜孔６ｃの最下段から４段目に可動シャーシ４００を位置付けなければならない。
【００５７】
次に、図１８に示すように、楔部材４１０によって下方から２番目のトレイ３０１を保持する動作を行う。楔部材４１０が図中時計回り方向に回動することにより、カム面４１０ｄは下方から３番目のトレイ３０１の突起３０１ｆを押し上げて、下方から３番目乃至６番目の４枚のトレイ３０１を上方に移動させる。同時に、下方から２番目のトレイ３０１の突起３０１ｆは、カム面４１０ｅに乗り上げて溝孔４１０ｃ内に入り込み、下方から２番目のトレイ３０１は楔部材４１０によって保持される。
【００５８】
次に、スライド部材６（スライド部材５）を駆動して可動シャーシ４００を上昇させる。これにより、下方から３番目乃至６番目のトレイ３０１はカム面４１０ｄに押圧されて上昇し、下方から２番目のトレイ３０１もカム面４１０ｅに押し上げられて上昇する。最下方のトレイ３０１だけが待機位置に残される。可動シャーシ４００の移動は、図１９に示すピン４００ｃが傾斜孔６ｃの最上段に位置付けされた状態で停止し、下方から２番目のトレイ３０１は楔部材４１０に保持されて、可動シャーシ４００の最上方高さに対応した位置に位置づけられる。この高さは、ディスク搬送機構１００の駆動ローラ１０１の高さに対応しており、ディスクの搬入及び排出はこの高さ位置において行われる。
なお、上記状態では、トレイ押え部材３０４はスライド移動を開始していない状態を保持し続けている（図２４（ｂ）参照）。
【００５９】
次に、図２０に示されるように、楔部材４１０が若干時計回り方向に回動させられる。楔部材４１０に保持される下方から２番目のトレイ３０１の位置は変わらないが、下方から３番目乃至６番目のトレイ３０１はカム面４１０ｄに押されて若干上昇する。これにより、トレイ３０１の間に駆動ローラ１０１が侵入する空間を確保する。その後、駆動ローラ１０１が退避位置（図９に示す）からディスク搬送位置（図８に示す）に移動し、挿入口１１からのディスク搬送が可能な状態となる。
そして、ディスク搬送が可能な状態になると、トレイ押え部材３０４は、その当接部３０４ｃがトレイ３０１の端部に当接ようにスライド移動する。トレイ３０１の端部に当接したトレイ押え部材３０４により、搬送完了したトレイ３０１のがたつきを防止することができると共に、ディスク搬送作動時のトレイ位置精度を向上させることができるようになる。また、同時にトレイ押え部材３０４は、ガイドシャフト２が挿通しているだけの最下方のトレイ３０１の端部にも当接しているので、そのトレイ３０１のがたつきをも防止することができる。
このとき、上方に位置しているその他のトレイ３０１の側面は、規制板３０２Ａの垂下部３０２ａが当接していて、Ｘ方向及びＹ方向にがたつかない様に規制されている（図２４（ｃ）参照）。
【００６０】
その後、ユーザにより挿入口１１からディスクが挿入される。挿入口１１から挿入したディスクをフォトセンサ１４ａのみが検知したならば、各駆動ローラ１０１が同期回転してディスクのローディングが開始される。このとき、ディスクローディング中にフォトセンサ１４ａとフォトセンサスイッチ１４ｃとが同時にON作動しなければ、ローディング中のディスクは８ｃｍディスクと判別されてディスク再生装置からイジェクトされる。
また、ローディング、或いはイジェクトされたディスクはフォトセンサ１４ｂにより検知され、このフォトセンサ１４ｂがON作動時には、ディスクがローディング、或いはアンローディングされている状態を示している。そして、フォトセンサ１４ａとフォトセンサ１４ｂとがOFF作動時では、ディスクがアンローディング状態と判断して駆動ローラ１０１などの駆動を停止させるようになっている。
【００６１】
そして、ディスクが下方から２番目のトレイ３０１の真上まで搬入され、ディスク周端面とスイッチング部材１２のスイッチアーム１２Ａの当接部１２ｃとが当接すると、コイルバネの付勢力に抗って回動軸１２ａを中心にスイッチング部材１２を図中反時計回り方向に回転させて、検索スイッチ１３を0N作動させる。
【００６２】
検索スイッチ１３が0N作動すると、図２１に示されるように、駆動ローラ１０１はディスク搬送位置から退避位置に移動し、駆動ローラ１０１とディスクの当接は解除される。このとき、駆動ローラ１０１は、ディスク挿入方向に回動した状態で退避位置に移動するので、ディスクが駆動ローラ１０１の移動に伴って退避位置側に変位されることはない。そして、駆動ローラ１０１が退避位置に行き着くと、ディスクはディスク押え部材３０４が当接していることによってがたつきが防止されているトレイ３０１のディスク担持面３０１ａに落しこまれ担持される。
【００６３】
その後は、スライド部材６（スライド部材５）を駆動して可動シャーシ４００を下降させて、ピン４００ｃが傾斜孔６ｃの最下段から２段目に位置付けされたところで、可動シャーシ４００は停止する。これにより可動シャーシ４００は図１８に示した高さ位置に位置付けられる。さらに楔部材４１０を図中反時計回り方向に回動させ、トレイ３０１の突起３０１ｆとカム面４１０ｄ、４１０ｅの接触を解除する。
【００６４】
その後に、スライド部材６（スライド部材５）を駆動して可動シャーシ４００を下降させて、ピン４００ｃが傾斜孔６ｃの最下段に位置付けされたところで、可動シャーシ４００は停止する。これにより可動シャーシ４００は図１７に示した高さ位置に位置付けられる。以上により、挿入口１１から挿入したディスクをディスク搬送機構１００の駆動ローラ１０１により搬送し、ディスク収納部３００のトレイ３０１に収納させるまでの、一連の動作は終了する。
【００６５】
トレイ３０１に担持されたディスクを挿入口１１から排出する動作は、駆動ローラ１０１がディスク排出方向に回動駆動される以外は、既述したディスクを搬入する動作と同じ工程により行われる。
【００６６】
次にディスク収納部３００のトレイ３０１に担持されたディスクを再生する動作について、図１７乃至図１８、図２２乃至図２３によって説明する。以下の説明は、最下方から２番目のトレイに担持されたディスクを選択して再生する場合例として説明する。
【００６７】
図１７に示す待機状態において、図示しない制御手段により下方から２番目のトレイ３０１に担持されたディスクの再生を行う指令を受けると、楔部材４１０及びディスク再生部２００を下方から２番目のトレイ３０１に対応した高さに位置付けるため、可動シャーシ４００を移動させる。
【００６８】
すなわち、スライド部材６（スライド部材５）を駆動してピン４００ｃが傾斜孔６ｃの最下段から２段目に位置付けされたところへ可動シャーシ４００を上昇させる。これにより、可動シャーシ４００は図１８に示す高さに位置付けられるので、下方から２番目のトレイ３０１に担持されたディスクが再生可能な状態となる。
【００６９】
その後、トレイ３０１の間にディスク再生部２００が侵入する空間を確保するため、図１８に示すように、楔部材４１０を図中時計回り方向に回動させる。楔部材４１０のカム面４１０ｄは下方から３番目のトレイの突起３０１ｆに当接し、これを押し上げて、下方から３番目乃至６番目の４枚のトレイを上方に移動させる。これと同時に、下方から２番目のトレイ３０１の突起３０１ｆは、カム面４１０ｅに乗り上げて溝孔４１０ｃ内に入り込む。最下方にあるトレイ３０１の突起３０１ｆはカム面４１０ｅに当接する。
【００７０】
その後、楔部材４１０はさらに図中時計回り方向に回動する。これにより、下方から３番目乃至６番目の４枚のトレイは、図１８に示すよりもさらに上方に移動させられる。これと同時に下方から２番目のトレイ３０１の突起３０１ｆはカム面４１０ｆによって持ち上げられる。また、最下方にあるトレイ３０１の突起３０１ｆは、カム面４１０ｅに押さえられてその場で動かない。これにより、下方から２番目のトレイ３０１の周囲にはディスク再生部２００が侵入できる空間が形成される。図１８にこの状態を示す。この空間は、既述したディスクを搬入及び排出する場合の空間よりも幅広く形成されている。また、下方から２番目のトレイ３０１は、突起３０１ｆが溝孔４１０ｃ内に奥深く入り込んで、楔部材４１０に保持される。
【００７１】
その後、図２２に示すように、ディスク再生部移動機構が駆動され、退避位置（図１４に示す）に退避していたディスク再生部２００が、再生位置（図１６にも示す）に移動させられ、前記空間内にディスク再生部２００が位置付けられる。図示されるように、ディスク再生部２００のクランパ２０２とターンテーブル２０１は、クランプ解除状態（クランパ２０２とターンテーブル２０１が離された状態）で前記空間に侵入するため、前記空間はそれに対応した広さとなっている。
【００７２】
ディスク再生部２００が前記空間内の再生位置に至ると、ディスク再生部移動機構の動作に連動してクランパ２０２が下降し、ディスクのクランプが行われる。この動作と同時に、楔部材４１０は反時計回りに若干回動して、下方から２番目のトレイ３０１を下降させる。これにより、下方から２番目のトレイ３０１に担持されていたディスクはターンテーブル２０１に担持され、トレイ３０１とディスクとは隔離される。この動作とクランパ２０２の下降動作がほぼ同時に行われることでディスクのクランプが行われる。図２３にこの状態を示す。同図の状態においてディスクの再生が行われる。
【００７３】
先の楔部材４１０の反時計回りの回動により、下方から３番目乃至６番目の４枚のトレイは、図２２の状態から下方に移動する。これにより、６枚のトレイ３０１がＺ方向において占めるスペースは、図２２に示すディスク再生部２００が侵入するときよりも縮小される。この動作により、ディスク再生時のフローティング支持に要するスペースを確保することができるので、この縮小分だけ装置を薄型化することができる。
【００７４】
以上、ディスク収納部３００に収納されたディスクを選択して再生する動作について説明したが、このように、再生したいディスクを選択するために、ディスク再生部２００とディスク再生空間を形成する楔部材４１０をトレイ３０１の配列方向に一体移動させることで、ディスク収納部３００全体を移動させて再生したいディスクを選択するディスク再生装置装置よりも、装置の薄型化が達成される。
【００７５】
【発明の効果】
以上のように、本発明によるディスク再生装置は、複数枚のディスクを配列して収納するディスク収納部と、少なくともターンテーブルとピックアップと該ピックアップを再生するディスクの径方向に移動させるピックアップ移動手段とを含むディスク再生手段と、前記ディスク収納部に収納されたディスク間の再生位置と前記ディスク収納部近傍の待機位置との間で前記ディスク再生手段を移動させる移動手段と、外部から挿入されたディスクを前記ディスク収納部に搬送するディスク搬送手段とを有するディスク再生装置であって、前記ディスク再生手段は、前記ピックアップの位置を検出する位置検出手段を含み、前記位置検出手段は、前記ディスク再生手段が前記待機位置に位置するときは、前記ディスク搬送手段によって搬送されるディスクの位置検出を行うことを特徴としている。
従って、ピックアップの位置を検出する位置検出手段によって、ディスク搬送手段により搬送されているディスクの位置検出を行わせることで、部品点数を増すことなく、ディスクの収納完了検知等の搬送されるディスクの位置検出を行うことができるので、信頼性が有り、且つコスト面でも優れたディスク再生装置を提供することができる。
【図面の簡単な説明】
【図１】  本発明を適用したディスク再生装置の全体斜視図である。
【図２】  図１の概略平面図である。
【図３】  図１のディスク再生装置からディスク収納部３００等、一部の部材を省略した部分斜視図である。
【図４】  （ａ）は、図１の正面図であり、（ｂ），（ｃ）は、（ａ）の要部構成を示した断面図である。
【図５】  ディスク搬送機構の一部を示す平面図である。
【図６】  ディスク収納部を示す平面図である。
【図７】  図６の側面図である。
【図８】  ディスク搬送機構とディスク収納部との位置関係を示す平面図である。
【図９】  ディスク搬送機構とディスク収納部との位置関係を示す平面図である。
【図１０】  ディスク再生部の昇降機構を示した分解図である。
【図１１】  図１０の底面図である。
【図１２】  図１０の概略側面図である。
【図１３】  図１０の昇降機構の一部材である楔部材を示す説明図である。
【図１４】  （ａ）は、ディスク再生部を説明する平面図で、（ｂ）は、ディスク再生部の一部材を示している。
【図１５】  （ａ）は、ディスク再生部のクランプ動作を説明する説明図で、（ｂ），（ｃ）は、（ａ）のＡ矢視図である。
【図１６】  ディスク再生部の回動動作を説明する平面図である。
【図１７】  本発明を適用したディスク再生装置の動作説明図である。
【図１８】  本発明を適用したディスク再生装置の動作説明図である。
【図１９】  本発明を適用したディスク再生装置の動作説明図である。
【図２０】  本発明を適用したディスク再生装置の動作説明図である。
【図２１】  本発明を適用したディスク再生装置の動作説明図である。
【図２２】  本発明を適用したディスク再生装置の動作説明図である。
【図２３】  本発明を適用したディスク再生装置の動作説明図である。
【図２４】  （ａ）は、トレイ押え部材とディスク収納部のトレイとの位置関係を示す側面図であり、（ｂ）は、移動開始前の概略側面図、（ｃ）は、移動開始後の概略側面図である。
【図２５】  従来のディスク再生装置を示す概略平面図である。
【符号の説明】
１    メインシャーシ
３    可動ピン
５    スライド部材
６    スライド部材
１２    スイッチング部材
１３    検知スイッチ
１００    ディスク搬送部
２００    ディスク再生部
２０１    ターンテーブル
２０２    クランパ
２０３    ピックアップ
２０４    ピックアップ移動機構
３００    ディスク収納部
３０１    トレイ
４００    可動シャーシ
【図１】
0003807858.tif 000002
【図２】
0003807858.tif 000003
【図３】
0003807858.tif 000004
【図４】
0003807858.tif 000005
【図５】
0003807858.tif 000006
【図６】
0003807858.tif 000007
【図７】
0003807858.tif 000008
【図８】
0003807858.tif 000009
【図９】
0003807858.tif 000010
【図１０】
0003807858.tif 000011
【図１１】
0003807858.tif 000012
【図１２】
0003807858.tif 000013
【図１３】
0003807858.tif 000014
【図１４】
0003807858.tif 000015
【図１５】
0003807858.tif 000016
【図１６】
0003807858.tif 000017
【図１７】
0003807858.tif 000018
【図１８】
0003807858.tif 000019
【図１９】
0003807858.tif 000020
【図２０】
0003807858.tif 000021
【図２１】
0003807858.tif 000022
【図２２】
0003807858.tif 000023
【図２３】
0003807858.tif 000024
【図２４】
0003807858.tif 000025
【図２５】
0003807858.tif 000026